【手続補正書】
【提出日】平成19年11月30日(2007.11.30)
【手続補正１】
【補正対象書類名】明細書
【補正対象項目名】特許請求の範囲
【補正方法】変更
【補正の内容】
【特許請求の範囲】
【請求項１】  インクによって画像記録が行われた記録媒体に対し液体化した塗布剤を塗布する液体塗布装置であって、
前記記録媒体の両面にそれぞれ接触しつつ回転する一対のローラと、
前記一対のローラのうち記録媒体の記録面に当接するローラを塗布ローラとしこの塗布ローラに所定の塗布剤タンクに貯留された塗布剤を供給する供給手段と、
を備えたことを特徴とする液体塗布装置。
【請求項２】  インクによって画像記録が行われた記録媒体に対し液体化した塗布剤を塗布する液体塗布装置であって、
前記記録媒体の両面にそれぞれ接触しつつ回転する一対のローラと、
前記一対のローラのうち記録媒体の記録面に当接するローラを塗布ローラとしこの塗布ローラに所定の塗布剤タンクに貯留された塗布剤を供給する供給手段と、
前記塗布ローラに供給された塗布剤を任意の量に規制する塗布規制部材と、を備えたことを特徴とする液体塗布装置。
【請求項３】  前記供給手段は、塗布剤タンクに貯留された塗布剤を前記塗布ローラの上方へと汲み上げるポンプと、
前記ポンプによって汲み上げられた塗布剤を前記塗布ローラへと滴下させる滴下部材と、を備えたことを特徴とする請求項１または２に記載の液体塗布装置。
【請求項４】  前記滴下部材は、前記ポンプによって汲み上げられた塗布剤を滴下させる細孔を前記塗布ローラの長手方向に沿って複数形成してなるパイプによって形成されることを特徴とする請求項３に記載の液体塗布装置。
【請求項５】  前記供給手段は、前記塗布ローラの近傍に設けられた塗布剤受けと、
前記塗布剤タンクに貯留された塗布剤を前記塗布剤受けへと送るポンプと、
前記塗布剤受けに貯留された塗布剤を塗布ローラへと供給する供給部材とを備えることを特徴とする請求項２に記載の液体塗布装置。
【請求項６】  前記供給部材は、前記塗布剤受けと前記塗布ローラとの間に位置すると共に一部が前記塗布剤受けに貯留された塗布剤に接するローラ形状の部材により構成され、前記ローラ形状の部材を回転させることにより、前記塗布剤受けに貯留された塗布剤を前記ローラ形状の部材を介して前記塗布ローラへと供給するようにしたことを特徴とする請求項５に記載の液体塗布装置。
【請求項７】  前記塗布規制部材は、前記塗布ローラとの間で塗布剤の滞留部を形成することを特徴とする請求項２ないし４いずれかに記載の液体塗布装置。
【請求項８】  前記塗布規制部材は、前記塗布ローラに対向する回転可能な塗布規制ローラによって構成されることを特徴とする請求項２ないし４いずれかに記載の液体塗布装置。
【請求項９】  前記塗布規制ローラは、前記塗布ローラと同一の回転方向に回転することを特徴とする請求項８に記載の液体塗布装置。
【請求項１０】  前記供給部材は前記塗布規制部材によって構成されることを特徴とする請求項５記載の液体塗布装置。
【請求項１１】  前記塗布ローラに塗布された余分な塗布剤を前記塗布剤タンクへと回収する回収手段を設けたことを特徴とする請求項１ないし１０いずれかに記載の液体塗布装置。
【請求項１２】  前記塗布ローラへと供給すべき塗布剤に含まれる不純物を除去する濾過手段を設けたことを特徴とする請求項１ないし１１いずれかに記載の液体塗布装置。
【請求項１３】  前記記録媒体の裏面に接する搬送ローラに付着した塗布剤を除去する清掃部材を設けたことを特徴とする請求項１ないし１２いずれかに記載の液体塗布装置。
【請求項１４】  前記塗布ローラの表層は、シリコーンゴムによって構成されていることを特徴とする請求項１ないし１３いずれかに記載の液体塗布装置。
【請求項１５】  前記塗布ローラと塗布剤の少なくとも一方を加熱する加熱手段を設けたことを特徴とする請求項１ないし１４いずれかに記載の液体塗布装置。
【請求項１６】  前記記録媒体は、少なくとも片面に、１〜１００ミクロンの厚みを有する受容層を有し、この受容層に液体を塗布することを特徴とする請求項１ないし１５のいずれかに記載の液体塗布装置。
【請求項１７】  液体化した塗布剤の粘度は、少なくとも記録媒体に塗布する際には、５０〜４００センチポワーズ（０．０５〜０．４ｍＰａ・ｓ）以下の特性をもつことを特徴とした請求項１ないし１６のいずれかに記載のインクジェット記録後に塗布剤を塗布する液体塗布装置。
【請求項１８】  前記塗布ローラは、表面に微小な孔を有し、内部に供給された液体を前記微小な孔を経て表面に滲出させることを特徴とする請求項１に記載の液体塗布装置。
【請求項１９】  前記塗布ローラは、表面が微小な孔を有するフィルムによって形成されると共に、内部が繊維またはスポンジ発泡体によって形成された吸収体を備えることを特徴とする請求項１８に記載の液体塗布装置。
【請求項２０】  前記塗布ローラは、その内方に供給された液体を表面に滲出させることを特徴とする請求項１８に記載の液体塗布装置。
【請求項２１】  前記塗布ローラは、その側部に、前記塗布ローラの内方に供給する液体を貯留するタンクを有し、
前記タンクは、その内方に液体を供給する液体供給口を有すると共に、前記液体供給口を密閉し得るキャップを備えることを特徴とする請求項１８ないし２０のいずれかに記載の液体塗布装置。
【請求項２２】  前記塗布ローラは、前記タンクの供給口からタンク内に貯留されている液体が漏出しない範囲内の回転位相で停止することを特徴とする請求項２１に記載の液体塗布装置。
【請求項２３】  前記塗布ローラに対向する対向ローラは、その表面が撥油性を有することを特徴とする請求項１ないし２２のいずれかに記載の液体塗布装置。
【請求項２４】  前記塗布ローラに対向する対向ローラは、表面がフッ素系フィルムによって形成され、内部が弾性を有するクッション層によって形成されることを特徴とする請求項１ないし２３のいずれかに記載の液体塗布装置。
【請求項２５】  インクを吸収する受容層を少なくとも片面に具備した記録媒体に対しインクジェット記録ヘッドからインクを吐出させて画像を記録するようにした画像記録装置であって、
請求項１ないし２４のいずれかに記載の液体塗布装置と、
この液体塗布装置の前記一対のローラに対して記録媒体を送る搬送路と、
前記液体塗布装置によって液体が塗布された記録媒体が排出される排紙トレイと、を備えることを特徴とする画像記録装置。
【手続補正２】
【補正対象書類名】明細書
【補正対象項目名】０００７
【補正方法】変更
【補正の内容】
【０００７】
【課題を解決するための手段】
本願の第１の発明は、インクによって画像記録が行われた記録媒体に対し液体化した塗布剤を塗布する液体塗布装置であって、前記記録媒体の両面にそれぞれ接触しつつ回転する一対のローラと、前記一対のローラのうち記録媒体の記録面に当接するローラを塗布ローラとしこの塗布ローラに所定の塗布剤タンクに貯留された塗布剤を供給する供給手段と、を備えたことを特徴とするものである。
ことを特徴とする。
【手続補正３】
【補正対象書類名】明細書
【補正対象項目名】０００８
【補正方法】変更
【補正の内容】
【０００８】
本願の第２の発明は、インクによって画像記録が行われた記録媒体に対し液体化した塗布剤を塗布する液体塗布装置であって、前記記録媒体の両面にそれぞれ接触しつつ回転する一対のローラと、前記一対のローラのうち記録媒体の記録面に当接するローラを塗布ローラとしこの塗布ローラに所定の塗布剤タンクに貯留された塗布剤を供給する供給手段と、前記塗布ローラに供給された塗布剤を任意の量に規制する塗布規制部材と、を備えたことを特徴とするものである。
することを特徴とする。
【手続補正４】
【補正対象書類名】明細書
【補正対象項目名】０００９
【補正方法】変更
【補正の内容】
【０００９】
本願の第３の発明は、インクを吸収する受容層を少なくとも片面に具備した記録媒体に対しインクジェット記録ヘッドからインクを吐出させて画像を記録するようにした画像記録装置であって、上記発明における液体塗布装置と、この液体塗布装置の前記一対のローラに対して記録媒体を送る搬送路と、前記液体塗布装置によって液体が塗布された記録媒体が排出される排紙トレイと、を備えることを特徴とするものである。
【手続補正５】
【補正対象書類名】明細書
【補正対象項目名】００２４
【補正方法】変更
【補正の内容】
【００２４】
このとき、塗布剤１００は、予め塗布剤タンク１０３に図示のように貯留されている。この塗布剤１００はポンプＰによってパイプ１０５を経て、上方部に配置された滴下部材１０１まで汲み上げられる。この滴下部材１０１は、記録媒体搬送方向Ｘと直交する方向（本図の紙面と直交する方向）に沿って延出するパイプであり、そのパイプ１０１の周面にはスラスト方向に沿って略等間隔に細孔が形成されている。
【手続補正６】
【補正対象書類名】明細書
【補正対象項目名】００２５
【補正方法】変更
【補正の内容】
【００２５】
このため、パイプ１０５からくみ上げられた塗布剤１００はパイプ１０１のスラスト方向に対して略均一な状態で滴下し、下方に位置する塗布ローラ７２Ａ及び塗布規制ローラ１０２に受け止められる。そして、両ローラ７２Ａ及び１０２に受け止められた塗布剤１００は、両ローラ７２Ａと１０２との隙間を通過することによって塗布ローラ７２Ａに付着し、塗布ローラ７２Ａの下方に対向して設けられた排紙ローラ対８２へと送られる。